(57)【要約】      （修正有）【課題】水が全体に均一に行き亘り、かつ多少の傾斜のある場所に設置した場合でも、水が偏ることなく、全体に行き亘る植栽基盤用トレイおよびそれを用いた植物基盤材を提供する。【解決手段】植栽基盤マットを設置するトレイ６において、該植栽基盤マットの接する側に多数の凹部７と凸部８を有し、凹凸間には連結溝９を有し、かつ該溝９は凹部７より浅くなっており、植栽基盤マットと直接接触していない凹部７の面積が、全面積の２０〜８０％である植栽基盤用トレイ６。【選択図】図７
2007074970.tif 000002
【特許請求の範囲】
【請求項１】
植栽基盤マットを設置するトレイにおいて、該植栽基盤マットの接する側に多数の凹部と凸部を有し、凹凸間には連結溝を有し、かつ該溝は凹部より浅くなっている植栽基盤用トレイ。
【請求項２】
植栽基盤マットと直接接触していない凹部の面積が、全面積の２０〜８０％である請求項１記載の植栽基盤用トレイ。
【請求項３】
トレイの凸部面に排水孔を有する請求項１記載の植栽基盤用トレイ。
【請求項４】
トレイの凹部の裏面が凸部であり、トレイの凸部の裏面が凹部である請求項１記載の植栽基盤用トレイ。
【請求項５】
請求項１〜４のいずれかに記載の第１のトレイの下部に、さらに第２のトレイを有する２重構造の植栽基盤用トレイ。
【請求項６】
第２のトレイが、第１のトレイに接する側に多数の凹部および凸部を有する請求項５記載の２重構造の植栽基盤用トレイ。
【請求項７】
第１のトレイの凸部に切れ目を有する請求項５または６記載の２重構造の植栽基盤用トレイ。
【請求項８】
請求項１〜７のいずれかに記載の第１のトレイの上部に植栽基盤マットを設けた植栽基盤材。
【請求項９】
植栽基盤マットが、多数の孔を有するマットである請求項８記載の植栽基盤材。
【発明の詳細な説明】
【技術分野】
【０００１】
本発明は、水が全体に均一に行き亘り、かつ多少の傾斜のある場所に設置した場合でも、水が偏ることなく、全体に行き亘る植栽基盤用トレイおよびそれを用いた植物基盤材に関する。
【背景技術】
【０００２】
従来、植栽基盤マットを支持する植栽基盤用トレイとしては、植栽基盤マットの接する側に多数の凹部と凸部を有するトレイが知られている。しかしながら、このトレイでは、水を全体に均一に行き亘らせるのは難しいし、さらに多少の傾斜のある場所に設置する場合は、水が偏よって溜まってしまい、全面に亘って植物の均一な育成が困難になる恐れがある。
【発明の開示】
【発明が解決しようとする課題】
【０００３】
本発明は、上記従来技術の欠点を解消するためになされたものであり、水が全体に均一に行き亘り、かつ多少の傾斜のある場所に設置した場合でも、水が偏ることなく、全体に行き亘る植栽基盤用トレイおよびそれを用いた植物基盤材を提供することを目的とする。
【課題を解決するための手段】
【０００４】
上記目的は、植栽基盤マットを設置するトレイにおいて、該植栽基盤マットの接する側に多数の凹部と凸部を有し、凹凸間には連結溝を有し、かつ該溝は凹部より浅くなっている植栽基盤用トレイを提供することによって達成される。
また、上記目的は、植栽基盤マットと直接接触していない凹部の面積が、全面積の２０〜８０％である上記の植栽基盤用トレイを提供することによって、より好適に達成される。
また、上記目的は、トレイの凸部面に排水孔を有する上記の植栽基盤用トレイを提供することによって、より好適に達成される。
また、上記目的は、上記のトレイの下に、さらに第２のトレイを有する２重構造の植栽基盤用トレイを提供することによって、より好適に達成される。
【発明の効果】
【０００５】
本発明の植栽基盤用トレイは、水を全体に均一に行き亘らせることができ、かつ多少の傾斜のある場所に設置する場合でも、水が偏ることなく、全体に行き亘らせることができ、そのために全面に亘り植物の均一な生育が可能となる。
【発明を実施するための最良の形態】
【０００６】
次に、本発明を図面により説明する。
まず、本発明に使用する植栽基盤マットについて、図１〜５により説明する。
図１は、本発明に使用の植栽基盤マットの平面図であり、わたマット１に厚み方向に円形の孔２を縦横に多数を設けたものであり、図２は、図１のＡ−Ａの断面図であり、３は貫通した孔である。
【０００７】
図３は、本発明に使用の他の態様を示す植栽基盤マットの平面図であり、植栽基盤マット１に厚み方向に正方形の孔２を縦横に多数を設けたものであり、図４は、図３のＡ−Ａの断面図であり、４は貫通していない底部５を残した孔である。
【０００８】
図５は、本発明に使用の他の態様を示す植栽基マットの平面図であり、わたマット１に厚み方向に長方形の孔２を縦横に多数貫通して設けたものであり、図６は、本発明の他の態様を示す植栽基盤マットの平面図であり、わたマット１に厚み方向に扁平状の孔２を縦横に多数貫通して設けたものである。
【０００９】
次に上記植栽基盤マットを設置する、本発明の植栽基盤用マットについて説明する。
図７は、本発明の植栽基盤用トレイ６の、植栽基盤マットの接する側からみた平面図で
ある。
凹部７は水の溜り場であり、凸部８はその上に設置される植栽基盤マットを支持する部材である。凹凸間には連結溝９を有し、連結溝９は凹部より浅くなっている。このように連結溝を浅くすることにより、凹部には常時水が溜ることになり、多少傾斜した場所に設置されても、水は各凹部に残ることになり、常時全体に亘り水を植物に供給することが可能となる。また、凹部から隣の凹部への水の移動は連結溝９によってなされる。
凹部の形状としては、図７に示すような四角形状（正方形など）が好適であるが、その形状はとくに限定されるものではない。また凸部の形状も、図７に示すような四方に突出部を有する多角形状が好適であるが、その形状はとくに限定されるものではない。
トレイ６は外枠１１によって囲まれている。凸部８には排水孔１０が設けられており、この排水孔（単数または複数の孔）１０を設けることは、凸部の上の植栽基盤マットに含んだ余剰の水をトレイの下部に流れ落すことができ、根腐れ防止に役立つことから、好適である。また、凸部には切れ目１２、その隣の切れ目１２'を設けることもできる。この切れ目１２および１２'に吸水マット（穴あき不織布など）を押し込むことにより、下部の第２のトレイの水を吸上げて再利用することができる。
【００１０】
また、植栽基盤マットと直接接触していない凹部の面積（凹部の開口上面の面積）は、全面積（外枠内のトレイの全面積）の２０〜８０％であることが、水の均一な供給性、踏圧性が優れることから好適である。さらに好適には３０〜７０％である。
【００１１】
図８は、図７の側面図であり、外枠１１にはドリップチューブの挿入孔１３が設けられている。ドリップチューブの挿入孔１３の周りの外枠１１の上部には段差１４がついており、この段差とその隣のトレイの外枠の段差を合わせて、段差同士をクリップで留めて固定することができる。その場合、段差があるため、クリップの上部がトレイの外枠の上部に飛び出すことはなく、外枠の上部はほぼ平面に保つことができる。図９は、そこに使用するクリップの側面図である。トレイ６の裏面は、凹凸構造とすることが好適であり、とくにトレイの凹部の裏面は凸部構造であり、トレイの凸部の裏面は凹部構造であることが好適である。また、トレイの裏面には、持ち運び易いように手の入る箇所を設けることが好適である。なお、図中、２８はトレイ（第１のトレイ）の下部に第２のトレイを設ける場合に使用される、第１のトレイと第２のトレイの留め穴を示す。
【００１２】
図１０は、図７のトレイ６を屋上のスラブ面２２に施工した、屋上緑化システムの側面図である。
屋上２２の上にトレイ６を設置し、さらにトレイ６の外枠１１内に水拡散シート１９（穴あき不織布など）を敷き、さらにその上にドリップチューブ孔１３にドリップチューブ２１（トレイの中間に２個以上の排水孔を有するチューブなど）を挿入し、トレイ６内にドリップチューブ２１を中央に挟んで、植栽基盤マット（多数の孔を有するマットなど）１８を設置し、マットの多数の孔に土壌（軽量土壌など）を挿入し、その上に芝生（高麗芝など）２０を設置することにより、屋上緑化システムとなる。土壌には植物の種子、球根または苗を混入させることもできるし、さらには肥料を混入させることもできる。
図中、２３は屋上緑化システムの端部に設置された木質系見切材を、２９は防護柵を示す。
【００１３】
図１１は、図７に示すトレイ（第１のトレイ）の下部に設ける第２のトレイの上部からみた平面図である。
トレイ２４の周りには外枠２７が設けられ、トレイの上部は十文字の凸部２６と２６'とその周りの凹部２５からなっている。十文字の凸部２６と２６'は、トレイ６の裏面の凸部に重なるように設置するのが好適である。
図１２は、図１１の側面図であり、図１３は、図１１のＡ−Ａの断面図である。
【００１４】
上記のトレイ（含第２のトレイ）は各種成形、たとえば射出成形などにより得られる。樹脂素材としては、ポリオレフイン系樹脂（ポリプロピレン、ポリエチレンなど）、ポリエステル系樹脂、ポリアミド系樹脂、生分解性樹脂（ポリ乳酸など）などが挙げられる。このうちポリプロピレンが好適である。
【００１５】
本発明において使用する植栽基盤マットは、図１〜５に示すような多数の孔を有するマット、とくに多数の孔を有するわたマットが好適である。わたマットの厚さ方向に有する孔は、平均径１０〜２００ｍｍであることが好適であり、さらに好適には２０〜１００ｍｍである。孔径がこの範囲にあることにより、砂または土壌の孔への充填が容易であり、ヘタリが少なく、また保水性が高いため、植物の生育も優れている。孔としては円形、楕円形、多角形（三角形、正方形、長方形、台形など）、扁平形などがあげられるが、円形が好適である。ここで、孔の平均径とは最大径と最小径の平均値をいう。また、孔の最小径は５ｍｍ以上であることが好適である。孔は植栽基盤マットの厚さ方向、好適には垂直方向に設けられるが、やや傾斜させて設けることもできる。孔は厚さ方向に貫通して設けることが好適であるが、貫通しないで底部を残すように設けることもできる。
【００１６】
また、孔は多数有することが重要であり、植栽基盤マット１ｍ２あたり１０〜３０００個であることが好適であり、２０〜１５００個であることがより好適である。一枚の植栽基盤マットの大きさは、その使用目的によって適宜決められるが、縦横１０ｃｍ〜１０ｍ、好適には３０ｃｍ〜５ｍの範囲から選ばれる。
植栽基盤マットの厚さは、１０〜１００ｍｍであることが重要であり、好適には２０〜８０ｍｍである。厚さがこの範囲にあることにより、へたりが少なく、軽量で、かつ保水性が高く、植物の生育も優れている。
【００１７】
植栽基盤マットは、吸水率２００重量％以上、嵩比重１．０以下｛孔をつけた不織布を６０℃の乾燥機で９０分間乾燥し、常温状態（２０℃、６０％ＲＨ）に２４時間放置した後測定した値｝であることが、保水性に優れ、さらに砂、土壌を充填したときのヘタリが少ないことから好適である。吸水率は２５０重量％以上であることがより好適であり、嵩比重は０．１以下であることがより好適である。ここで、吸水率とは次の式で測定される値である。
孔をつけた不織布を６０℃の乾燥機で９０分間乾燥し、常温状態（２０℃、６０％ＲＨ）に２４時間放置した後、不織布の重量（Ａ）を測定。
上記した、乾燥後、常温状態に放置した不織布を３０℃の水に１０分間浸漬し、これを取り出し、常温状態（２０℃、６０％ＲＨ）に垂直に２時間放置した後、不織布の重量（Ｂ）を測定。
吸水率（％）＝｛（Ｂ−Ａ）／Ａ｝×１００
【００１８】
植栽基盤マットの素材としては、ポリエステル繊維（再生品）を主体とし、これに親水性繊維、たとえばポリビニルアルコール系繊維（ビニロン、エチレン−ビニルアルコール共重合体繊維など）、を配合したものが好適である。この場合、ポリビニルアルコール系繊維の配合割合は、全繊維に対して１０〜７０％であることが好適であり、さらに好適には２０〜６０＆である。また他のマット素材としては、生分解性樹脂繊維（ポリ乳酸繊維など）、またはこれらの生分解性樹脂繊維に他の樹脂繊維を配合した繊維、あるいは生分解性樹脂に他の樹脂を配合した繊維も使用可能である。マットとしては、カタワタ、不織布などが挙げられ、不織布としてはニードルパンチング方式、熱風接着方式、浸漬接着方式などにより得られたものが用いられる。わたマットの孔は打ち抜きなどの方法により得られる。また、このわたマットには肥料などを混入させておくこともできる。
【００１９】
本発明においては、上記植栽基盤マットを複数層設けることが好適な態様である。たとえば植栽後３〜５年後に根が蔓延り、新たな根が育たなくなり生育に支障が出始めたとき、複数層のうち下層の一層または２層以上を、新しい植栽基盤マットに取り替えることにより、根を新しく生育させることができる。また、施工時に、植栽基盤マットを重ねて敷き詰めておくだけで良いので、３〜５年後の取り替え作業は極めて簡単である。ここで、上記植栽基盤マット層を複数層設けるとは、２層以上、または３層以上をいうが、２層であることが、新しい根の生育、経済性の点から好適である。複数構造とする場合は、その全体の厚さは、２０〜１００mmであることが好適であり、３０〜８０mmであることがさらに好適である。また、この複数構造の植栽基盤マットは、とくに芝類の植栽に好適である。
【００２０】
また、これらの多数の孔を有す植栽基盤マットを上記トレイ上に設置する場合、植栽基盤の孔と、トレイの凸部とが重なるように設置することが、踏圧性が優れることから好適である。
次に実施例により、本発明をさらに説明する。
【実施例】
【００２１】
実施例１
トレイとして図７に示すトレイ（射出成形して得たポリプロピレン製トレイ；植栽基盤マットと直接接触していない凹部の面積が、全面積の４２％）を使用し、さらに、植栽基盤マットとして図１に示す植栽基盤マット１｛カタワタ（ポリステル繊維７０％とビニロン３０％からなる不織布、嵩比重０．０５、吸水率２７０％、厚さ３０ｍｍ、縦横４９ｃｍ×４９ｃｍ、円形の孔径３５ｍｍ、孔の数３００個／１ｍ２）からなる｝を使用し、これらを複数枚並べて設置し、図１０に示すような屋上緑化システムを作った。芝生の生育を観察したが、芝生の生育は全面にわたって良好であり、また踏みつけてもヘタリが少なく、芝生の状況は良好であった。
【００２２】
実施例２
実施例１において、芝生の代わりに、セダムを使用した以外は実施例１と同様にして観察したが、セダムの生育は全面に亘って良好であり、また踏みつけてもヘタリが少なく、セダムの状況は良好であった。
【産業上の利用可能性】
【００２３】
本発明の植栽基盤用トレイおよびそれを使用した植栽基盤材は、ベランダ、屋上緑化用にとくに有用であり、さらにはグランド、庭などの土壌面の緑化、とくに芝生化用に有用であり、さらには壁面緑化用にも有用である。植栽としては、芝生以外に、地被類（グランドカバー類など）、各種草花植物も挙げられる。
【図面の簡単な説明】
【００２４】
【図１】本発明に使用の植栽基盤マットの平面図である。
【図２】図１のＡ−Ａの断面図である。
【図３】本発明の他の態様を示す植栽基盤マットの平面図である。
【図４】図３のＡ−Ａの断面図である。
【図５】本発明の他の態様を示す植栽基盤マットの平面図である。
【図６】本発明の他の態様を示す植栽基盤マットの平面図である。
【図７】本発明の植物基盤用トレイの平面図である。
【図８】図７の側面図である。
【図９】本発明に使用のクリップの側面図である。
【図１０】本発明の屋上緑化システムの側面図である。
【図１１】本発明に使用の第２のトレイの平面図である。
【図１２】図１１の側面図である。
【図１３】図１１のＡ−Ａの断面図である。
【符号の説明】
【００２５】
１      わたマット
２      孔
３      貫通孔
３'      貫通孔
４      貫通していない孔
５      底部
６      トレー
７      凹部
８      凸部
９      連結溝
１０    排水孔
１１    外枠
１２    切れ目
１２'    切れ目
１３    ドリップチューブ挿入孔
１４    段差
１５    トレイ裏面の凸部
１６    トレイ裏面の凹部
１７    外枠同士を挟むクリップ
１８    植栽基盤マット
１９    水拡散シート
２０    高麗芝
２１    ドリップチューブ
２２    屋上のスラブ面
２３    木質系見切材
２４    第２トレイ
２５    第２トレイの凹部
２６    第２トレイの十文字凸部
２６'    第２トレイの十文字凸部
２７    第２トレイの外枠
２８    第１トレイと第２トレイとの留め穴
２９    防護柵        
【図１】
2007074970.tif 000003
【図２】
2007074970.tif 000004
【図３】
2007074970.tif 000005
【図４】
2007074970.tif 000006
【図５】
2007074970.tif 000007
【図６】
2007074970.tif 000008
【図７】
2007074970.tif 000009
【図８】
2007074970.tif 000010
【図９】
2007074970.tif 000011
【図１０】
2007074970.tif 000012
【図１１】
2007074970.tif 000013
【図１２】
2007074970.tif 000014
【図１３】
2007074970.tif 000015